(57)【要約】【課題】  塩素や有機物等の有害物質が除去された水道水を給湯器や浴室へ供給できると共に、塩素を含んだ水道水を台所やトイレへ供給できるようにする。【解決手段】  家庭用の給水管２から分岐して給湯器５の入口５ａ側に接続された分岐管６に、水道水Ｗを浄化する機能及び水道水Ｗを活性化する機能を備えた浄活水器７を設置した浄活水システムであって、浄活水器７により浄化及び活性化した水道水Ｗを給湯器５へ供給すると共に、給湯器５からのお湯Ｈを給湯管９により浴室８へ供給し、又、浄活水器７と給湯器５との間の分岐管６から浴室８へ分岐給水管１０を分岐し、浄活水器７を経た水道水Ｗの一部を分岐給水管１０により浴室８へ供給する。【選択図】      図１
2005048467.tif 000002
【特許請求の範囲】
【請求項１】
家庭用の給水管（２）から分岐して給湯器（５）の入口（５ａ）側に接続された分岐管（６）に、水道水（Ｗ）を浄化する機能及び水道水（Ｗ）を活性化する機能を備えた浄活水器（７）を設置した浄活水システムであって、浄活水器（７）により浄化及び活性化した水道水（Ｗ）を給湯器（５）へ供給すると共に、給湯器（５）からのお湯（Ｈ）を給湯管（９）により浴室（８）へ供給し、又、浄活水器（７）と給湯器（５）との間の分岐管（６）から浴室（８）へ分岐給水管（１０）を分岐し、浄活水器（７）を経た水道水（Ｗ）の一部を分岐給水管（１０）により浴室（８）へ供給するようにしたことを特徴とする浄活水システム。
【請求項２】
浄活水器（７）が、水道水（Ｗ）の流入口（１１ａ）及び流出口（１１ｂ）を形成したベース（１１）を備えた開閉可能な密閉状の容器（Ａ）と、容器（Ａ）内に着脱自在に内蔵され、水道水（Ｗ）の浄化及び活性化を行うカートリッジ（Ｂ）とから成り、カートリッジ（Ｂ）が交換可能な縦型の浄活水器（７）であることを特徴とする請求項１に記載の浄活水システム。
【請求項３】
カートリッジ（Ｂ）が、水道水（Ｗ）に含まれている有害物質を除去する繊維状活性炭フィルター（１５）と、水道水（Ｗ）を活性化するセラミックスフィルター（１６）とを備えていることを特徴とする請求項２に記載の浄活水システム。
【発明の詳細な説明】
【技術分野】
【０００１】
本発明は、主に一般家庭で使用する水道水を浄化及び活性化する浄活水システムに係り、特に、給湯器や浴室に供給する水道水を浄化処理及び活性化処理するようにした浄活水システムに関するものである。
【背景技術】
【０００２】
近年、公共の水道水の水質の悪化が問題となっている。これは、水道水の原水の水質が悪化しており、それに伴って浄水場に於いて酸化剤や滅菌剤としての塩素を多量に注入する必要が生じているからである。
水道水に多量の塩素が含まれていると、味が悪くなったり、異臭がしたり、更には人体の健康上の点からも好ましくない。このため、各家庭に於いては、浄水器や活水器、或いは両方の機能を備えた浄活水器が使用されることが多くなって来ている。これらの浄水器や活水器等は、家庭の水道機器の中で最も多く飲用等に使用される台所の蛇口に取り付けられているのが一般的である。
【０００３】
ところで、台所の蛇口のみに浄水器や活水器等を設置した場合、浄化及び活性化されていない水道水が給湯器内に直接流入し、給湯器内の熱交換管やバルブ、給湯器の出口側に接続された給湯管にスケールが付着し易くなり、給湯器の故障の原因になることがある。
又、浴室で使用する水道水やお湯は、塩素や有機物等の有害物質が除去されていないため、肌や髪の毛を傷めたりすると云う問題が発生している。
【０００４】
そこで、これらの問題を解決するため、住宅内の台所やトイレ、浴室、洗面所、給湯器等で使用する全ての水道水を浄化並びに活性化するセントラル方式の住宅用水道水処理供給装置が開発され、広く利用に供されている（例えば、特許文献１参照）。
即ち、前記住宅用水道水処理供給装置は、図３に示す如く、水道水の配水管３０(本管)に接続されて水道メーター３１の下流側に位置する分岐管３２に、水道水を浄化する機能、水道水を活性化する機能の少なくとも一方の機能を有する水処理器３３を設置したものであり、配水管３０（本管）からの水道水が分岐管３２、水道メーター３１及び分岐管３２を経て水処理器３３に流入し、水処理器３３で浄化並びに活性化されるようになっている。
【０００５】
而して、水処理器３３で浄化並びに活性化された水道水は、給水管３４及び分岐給水管３４ａにより給湯器３５、洗面所３６、台所シンク３７、トイレ３８、風呂場３９、洗濯場４０、散水栓４１へ夫々供給される。又、給湯器３５へ供給された水道水は、お湯となって給湯管４２及び分岐給湯管４２ａにより洗面所３６、台所シンク３７、風呂場３９へ夫々供給される。
この住宅用水道水処理供給装置は、住宅で使用する全ての水道水を安全で健康指向の良質な美味しい水にすることができる等の利点を有する。
【０００６】
然し乍ら、前記セントラル方式の住宅用水道水処理供給装置に於いては、住宅内で使用する全ての水道水を浄化並びに活性化するようにしているため、台所３７で使用する水やトイレ３８で使用する水には塩素が含まれていないことになる。その結果、台所３７で使用する水やトイレ３８で使用する水は、殺菌性が喪失されて衛生的に問題である。特に、水道の蛇口から出る水については、塩素濃度の値が一定値以上でなければならず、法律に違反することになる。
又、家庭内の水道機器が居住者の旅行等によって長期間使用されていないと、塩素を含まない水道水が給水管３４や給湯管４２等に長期間滞留することになり、腐食や雑菌の発生を生じる虞がある。
【特許文献１】特開２００２−１７３９６０号公報
【発明の開示】
【発明が解決しようとする課題】
【０００７】
本発明は、このような問題点に鑑みて為されたものであり、その目的は塩素や有機物等の有害物質が除去された水道水を給湯器や浴室へ供給できると共に、塩素を含んだ水道水を台所やトイレへ供給できるようにした浄活水システムを提供することにある。
【課題を解決するための手段】
【０００８】
上記目的を達成する為に、本発明の請求項１の発明は、家庭用の給水管から分岐して給湯器の入口側に接続された分岐管に、水道水を浄化する機能及び水道水を活性化する機能を備えた浄活水器を設置した浄活水システムであって、浄活水器により浄化及び活性化した水道水を給湯器へ供給すると共に、給湯器からのお湯を給湯管により浴室へ供給し、又、浄活水器と給湯器との間の分岐管から浴室へ分岐給水管を分岐し、浄活水器を経た水道水の一部を分岐給水管により浴室へ供給するようにしたことに特徴がある。
【０００９】
本発明の請求項２の発明は、浄活水器が、水道水の流入口及び流出口を形成したベースを備えた開閉可能な密閉状の容器と、容器内に着脱自在に内蔵され、水道水の浄化及び活性化を行うカートリッジとから成り、カートリッジが交換可能な縦型の浄活水器であることに特徴がある。
【００１０】
本発明の請求項３の発明は、カートリッジが、水道水に含まれている有害物質を除去する繊維状活性炭フィルターと、水道水を活性化するセラミックスフィルターとを備えていることに特徴がある。
【発明の効果】
【００１１】
本発明の浄活水システムは、給湯器の入口側に接続した分岐管に、水道水を浄化する機能及び水道水を活性化する機能を備えた浄活水器を設置しているため、給湯器内には浄化並びに活性化された水道水が供給されることになり、給湯器内の熱交換管やバルブ、給湯器の出口側に接続された給湯管にスケールが付着しなくなる。その結果、給湯器の故障が少なくなると共に、メンテナンスの回数も少なくて済む。
又、本発明の浄活水システムは、浄活水器により浄化並びに活性化された水道水を給湯器へ供給し、給湯器からのお湯を浴室へ供給すると共に、浄活水器からの一部の水道水を分岐給水管により浴室へ供給するようにしているため、塩素や有機物等を含んでいない肌に良いとされるお湯や水道水を浴室に供給することができる。
更に、本発明の浄活水システムは、給湯器の入口側に接続した分岐管に浄活水器を設置しているため、台所やトイレ等へ供給される水道水には塩素が含まれていることになる。その結果、浴室以外の台所やトイレ等で使用する水道水には殺菌性のある塩素が残ることになり、台所やトイレ用の水として安全に使用することができる。
【発明を実施するための最良の形態】
【００１２】
以下、本発明の実施の形態を図面に基づいて詳細に説明する。
図１は本発明の実施の形態に係る家庭用の浄活水システムを示し、当該浄活水システムは、水道メーター１の下流側の給水管２に分岐状に接続され、少なくとも台所３やトイレ４、給湯器５等に水道水Ｗを供給する複数の分岐管６と、給湯器５の入口５ａ側に接続された分岐管６に設置され、給湯器５へ供給される水道水Ｗを浄化並びに活性化する浄活水器７と、給湯器５からのお湯Ｈを浴室８内の混合栓８ａ及び浴槽８ｂへ供給する給湯管９と、浄活水器７と給湯器５との間の分岐管６から浴室８へ分岐され、浄化並びに活性化された水道水Ｗの一部を浴室８内の混合栓８ａへ供給する分岐給水管１０等から構成されており、浄化並びに活性化されたお湯Ｈと水道水Ｗを浴室８へ供給できると共に、塩素を含んだ水道水Ｗを浴室８以外の台所３やトイレ４等へ夫々供給できるようにしたものである。
【００１３】
前記浄活水器７は、図２に示す如く、給湯器５の入口５ａ側に接続された分岐管６に接続され、水道水Ｗの流入口１１ａ及び流出口１１ｂを形成したベース１１を備えた開閉可能な密閉状の容器Ａと、容器Ａ内に着脱自在に内蔵され、水道水Ｗの浄化並びに活性化を行うカートリッジＢとから成り、カートリッジＢが交換可能な縦型の浄活水器７となっている。
【００１４】
即ち、前記容器Ａは、水の流入口１１ａ及び流出口１１ｂを形成したベース１１と、ベース１１の上面側に取り付けた筒状のケーシング１２と、ケーシング１２の上端部に取り付けたヘッドキャップ１３とから成り、ベース１１とケーシング１２との間及びケーシング１２とヘッドキャップ１３との間にＯリング２３を介装し、ベース１１とケーシング１２及びケーシング１２とヘッドキャップ１３を夫々ボルト２２で連結することによって密閉状に組み立てられている。
【００１５】
具体的には、ベース１１は、ステンレス鋼やアルミ合金等の金属材により円盤状に形成されており、その外周面には給湯器５の入口５ａ側に接続された分岐管６にユニオンナット（図示省略）を介して接続される流入側配管接続部１１ｃと流出側配管接続部１１ｄとが対向状に形成されている。この流入側配管接続部１１ｃには、水道水Ｗの流入口１１ａが形成されていると共に、流出側配管接続部１１ｄには、水道水Ｗの流出口１１ｂが形成されている。又、ベース１１の上面中心部には、水道水Ｗの流出口１１ｂに連通してカートリッジＢの一端部が挿入支持される上向きの支持穴１１ｅが形成されている。更に、ベース１１の上面には、支持穴１１ｅの周囲に位置して水の流入口１１ａに連通する環状溝１１ｆが形成されている。
ケーシング１２は、ステンレス鋼やアルミ合金等の金属材により筒状に形成されており、その上端部及び下端部にはフランジ１２ａが夫々設けられている。
ヘッドキャップ１３は、ステンレス鋼やアルミ合金等の金属材によりお椀状に形成されており、その外周縁部にはケーシング１２の上端部側のフランジ１２ａに重ね合わされるフランジ１３ａが形成されている。
【００１６】
一方、前記カートリッジＢは、水道水Ｗに含まれている比較的大きな異物を除去する円筒状の濁度フィルター１４と、濁度フィルター１４内に同心円上に配置され、水道水Ｗに含まれている塩素やトリハロメタン等の有害物質を除去する円筒状の繊維状活性炭フィルター１５と、繊維状活性炭フィルター１５内に同心円上に配置され、水道水Ｗを活性化するセラミックスフィルター１６と、ベース１１の支持穴１１ｅに挿入支持され、濁度フィルター１４及び繊維状活性炭フィルター１５の下端部を支持する円板状の下部支持板１７と、濁度フィルター１４及び繊維状活性炭フィルター１５の上端部を支持する円板状の上部支持板１８とから構成されている。
【００１７】
具体的には、濁度フィルター１４は、水道水Ｗに含まれている比較的大きな異物を除去して繊維状活性炭フィルター１５を保護する役目をするものであり、不織布等により円筒状に形成されている。
又、繊維状活性炭フィルター１５は、活性コークス炭を繊維状にして円筒状に固化したものであり、粒状活性炭と比較して同体積で１０倍以上の塩素除去力を持ち、流量も大きくて処理推量も３倍以上である。
更に、セラミックスフィルター１６は、両端部が開放された円筒状のケース１６ａと、ケース１６ａ内に充填された粒状のセラミックス１６ｂと、ケース１６ａの両端部開口に着脱自在に取り付けられ、セラミックス１６ｂの流出を阻止する金属網製又はパンチングメタル製のスクリーン１６ｃとから成り、下端部側がベース１１の支持穴１１ｅに挿入支持されている。このセラミックスフィルター１６のセラミックス１６ｂには、界面活性及び浸透力の向上を図る粒状の圧電性電子セラミックス、溶解力及び熱伝導性の向上を図る粒状の遠赤外線セラミックス、味の改善を図る粒状のミネラルセラミックス、溶解力及び浸透力の向上を図る粒状の磁気セラミックス、抗菌のための粒状の銅イオンセラミックス等が使用されている。
【００１８】
前記浄活水器７によれば、分岐管６から浄活水器７の流入口１１ａに流入した水道水Ｗは、ベース１１の上面に形成した環状溝１１ｆから容器Ａのケーシング１２とカートリッジＢの濁度フィルター１４との間に形成された環状の空間１９に流入する。環状の空間１９内に流入した水道水Ｗは、空間１９内を上方へ流れると共に、徐々に濁度フィルター１４を通過し、濁度フィルター１４と繊維状活性炭フィルター１５との間に形成された環状の空間２０内に流入する。このとき、水道水Ｗに含まれている比較的大きな異物は、濁度フィルター１４により除去される。
濁度フィルター１４と繊維状活性炭フィルター１５との間の空間２０に流入した水道水Ｗは、環状の空間２０内を上方へ流れると共に、徐々に繊維状活性炭フィルター１５を通過し、繊維状活性炭フィルター１５とセラミックスフィルター１６との間に形成された環状の空間２１内に流入する。このとき、水道水Ｗに含まれている塩素等の有害物質が繊維状活性炭フィルター１５により除去される。
繊維状活性炭フィルター１５とセラミックスフィルター１６との間の空間２１に流入した水道水Ｗは、環状の空間２１内を上方へ流れた後、セラミックスフィルター１６の上方のスクリーン１６ｃからセラミックスフィルター１６内に流入し、セラミックスフィルター１６内を下向きに流れて粒状のセラミックス１６ｂと接触する。これによって、セラミックスフィルター１６内の水道水Ｗは、粒状のセラミックス１６ｂと接触し、その分子が電気分解されたり、或いはセラミックス１６ｂからの放射エネルギーを吸収して活性化される。
セラミックスフィルター１６内で活性化された水道水Ｗは、セラミックスフィルター１６の下方のスクリーン１６ｃから浄活水器７の流出口１１ｂへ流出し、分岐管６を介して給湯器５へ送られる。
【００１９】
而して、上述した構成の浄活水システムによれば、水道メーター１の下流側の給水管２から分岐管６を介して台所３やトイレ４へ供給される水道水Ｗは、浄活水器７を通過せずに直接台所３やトイレ４へ供給され、飲料用や調理用、洗浄用として使用される。そのため、飲料用や調理用、トイレ４用の水道水Ｗには塩素が残ることになる。その結果、台所３用やトイレ４用の水道水Ｗは、殺菌性が喪失すると云うことがなく、飲料用や洗浄用等として安全に使用することができる。
又、給湯器５へ供給される水道水Ｗは、浄活水器７を通過して浄化並びに活性化されてから給湯器５へ供給される。そのため、給湯器５内の熱交換管やバルブ、給湯器５の出口５ｂ側に接続された給湯管９にスケールが付着し難くなり、故障やメンテナンスの回数が少なくなる。
更に、給湯器５からのお湯Ｈが給湯管９を介して浴室８へ供給されると共に、浄活水器７により塩素や有機物等の有害物質が除去された水道水Ｗの一部が分岐給水管１０を介して浴室８へ供給される。その結果、肌に良いとされるお湯Ｈや水を浴室８で使用することができる。
【００２０】
そして、浄活水システムを一定期間使用し、浄活水器７の濁度フィルター１４や繊維状活性炭フィルター１５が目詰まりを起こしたり、或いはセラミックスフィルター１６の粒状のセラミックス１６ｂに摩耗や損傷、汚れが発生した場合には、浄活水器７のカートリッジＢを新しいカートリッジＢに取り替える。
【００２１】
即ち、カートリッジＢを取り替える場合には、容器Ａのヘッドキャップ１３をケース１６ａから取り外して容器Ａを開放し、容器Ａ内の古いカートリッジＢを取り出す。次に、新しいカートリッジＢをケーシング１２内に挿入し、当該カートリッジＢの下端部をベース１１の支持穴１１ｅに挿入する。その後、ケーシング１２の上端部にヘッドキャップ１３をボルト２２により取り付け固定する。このとき、浄活水器７は、カートリッジＢが分岐管６に介設した開閉可能な容器Ａ内に着脱自在な構成となっているため、カートリッジＢの取り替え時に浄活水器７自体を給水管２から取り外したりすると云うことがなく、カートリッジＢの交換を簡単且つ迅速に行える。又、この浄活水器７は、容器Ａのベース１１に流入口１１ａ及び流出口１１ｂを形成しているため、容器Ａを分岐管６に介設したときに浄活水器７自体が分岐管６と直交する縦向き姿勢となる。その結果、浄活水器７を分岐管６に介設したときに設置スペースが少なくて済む。
【図面の簡単な説明】
【００２２】
【図１】本発明の実施の形態に係る浄活水システムの概略系統図である。
【図２】浄活水システムに使用する浄活水器の縦断面図である。
【図３】従来の住宅用水道水処理供給装置（浄活水システム）の概略系統図である。
【符号の説明】
【００２３】
Ａは容器、Ｂはカートリッジ、Ｈはお湯、Ｗは水道水、２は給水管、５は給湯器、５ａは給湯器の入口、６は分岐管、７は浄活水器、８は浴室、９は給湯管、１０は分岐給水管、１１はベース、１１ａは水道水の流入口、１１ｂは水道水の流出口、１５は繊維状活性炭フィルター、１６はセラミックスフィルター。
【図１】
2005048467.tif 000003
【図２】
2005048467.tif 000004
【図３】
2005048467.tif 000005